【手続補正書】
【提出日】平成26年8月20日(2014.8.20)
【手続補正１】
【補正対象書類名】特許請求の範囲
【補正対象項目名】全文
【補正方法】変更
【補正の内容】
【特許請求の範囲】
【請求項１】
少なくとも１：１の水：バイオマスの比を有するバイオマス原料を反応ゾーンへと導入する工程であって、前記バイオマス原料がリン含量を有する工程と、
前記バイオマス原料を、多相生成物を生成するのに有効な水熱処理条件下にて水熱処理する工程であって、前記多相生成物が、前記バイオマス原料のリン含量の少なくとも約８０％を含む固体部分を含む工程と、
前記多相生成物を、少なくとも気相部分、液体炭化水素生成物、および前記固体部分を生成するために分離する工程と
を含む、バイオマスの水熱処理方法。
【請求項２】
前記バイオマス原料が藻類、微細藻類またはシアノバクテリアを含む、請求項１に記載の方法。
【請求項３】
水：藻類の重量比が、約２：１〜約１０：１である、請求項２に記載の方法。
【請求項４】
前記有効な水熱処理条件が、約１５０℃〜約５００℃の温度および約２５ｂａｒｇ（約２．５ＭＰａｇ）〜約３００ｂａｒｇ（約３０ＭＰａｇ）の圧力を含む、請求項１に記載の方法。
【請求項５】
前記有効な水熱処理条件が、約２５０℃〜約３７５℃の温度を含む、請求項１に記載の方法。
【請求項６】
前記有効な水熱処理条件が、触媒の存在下での水熱処理を含み、かつ以下の条件：
温度が約２５０℃〜約３００℃であるときに処理時間が約４５分〜約９０分であること、
温度が約２７５℃〜約３２５℃であるときに処理時間が約３０分〜約６０分であること、または
温度が約３００℃〜約３５０℃であるときに処理時間が約１５分〜約３０分であること
のうちの１つが満たされる、請求項１に記載の方法。
【請求項７】
前記藻類ベースの原料を有効な水熱処理条件下で水と接触させる工程が、水の相変化をもたらさない、請求項１に記載の方法。
【請求項８】
前記液体炭化水素生成物を、その少なくとも９０重量％が約１９３℃〜約３６０℃の沸点範囲を有する留分を生成するために分離する工程をさらに含む、請求項１に記載の方法。
【請求項９】
前記固体部分のリン：炭素のモル比が、少なくとも約０．２である、請求項１に記載の方法。
【請求項１０】
前記固体部分が、前記バイオマス原料のリン含量の少なくとも約９０％を含み、そのリン：炭素のモル比が少なくとも約０．２５である、請求項１に記載の方法。
【請求項１１】
リン含量を有するバイオマス原料に多価金属を添加する工程であって、前記多価金属が、前記バイオマス原料において利用可能な多価金属カチオンの量を増加させるのに適した形態で添加される工程と、
前記バイオマス原料を、多相生成物を生成するのに有効な水熱処理条件下で前記多価金属の存在下で水と接触させる工程であって、前記多相生成物が、前記バイオマス原料のリン含量の少なくとも約８０％を含む固体部分を含む工程と、
前記多相生成物を、少なくとも気相部分、液体炭化水素生成物および前記固体部分を生成するために分離する工程と
を含む、バイオマスの水熱処理方法。
【請求項１２】
前記多価金属が、Ｃａ、Ｍｇ、Ｆｅ、Ａｌまたはそれらの組み合わせを含む、請求項１１に記載の方法。
【請求項１３】
前記バイオマス原料を水と接触させる工程が、約０．１重量％〜約１．０重量％の前記多価金属の存在下および触媒の存在下で前記バイオマス原料を水と接触させることを含み、固体部分を生成するために前記多相生成物を分離する工程が、触媒部分および藻類ベースの固体部分を生成するために前記多相生成物を分離することを含む、請求項１１に記載の方法。
【請求項１４】
前記藻類ベースの固体部分が、前記バイオマス原料のリン含量の少なくとも約８０％を含み、かつ前記多価金属の大半を含む、請求項１３に記載の方法。
【請求項１５】
前記バイオマス原料を有効な水熱条件下で水と接触させる工程において、反応ゾーンにおいて、前記バイオマス原料に前記多価金属を添加する、請求項１１に記載の方法。
【請求項１６】
リン含量を有する藻類含有原料を、多相生成物を生成するのに有効な水熱処理条件下で水と接触させる工程であって、前記多相生成物が、前記藻類含有原料のリン含量の少なくとも約８０％を含む固体部分を含む工程と、
前記多相生成物を、少なくとも気相部分、液体炭化水素生成物、および前記固体部分を生成するために分離する工程と、
前記固体部分からのリンを藻類成長プロセスへとリサイクルする工程と
を含む、バイオマスの水熱処理方法。
【請求項１７】
前記固体部分からリンをリサイクルする工程が、
リンベースの栄養素または栄養素前駆体を形成するために前記固体部分からリンを抽出すること、および
前記リンベースの栄養素または栄養素前駆体を前記藻類成長プロセスへと導入すること
を含む、請求項１６に記載の方法。
【請求項１８】
前記リンベースの栄養素または栄養素前駆体が、リン酸である、請求項１６に記載の方法。
【請求項１９】
水：藻類の重量比が、約３：１〜約５：１である、請求項１６に記載の方法。
【請求項２０】
前記固体部分が、前記バイオマス原料のリン含量の少なくとも約９０％を含み、そのリン：炭素のモル比が少なくとも約０．２５である、請求項１６に記載の方法。
【請求項２１】
前記バイオマス原料が、さらに多価金属を含む、請求項１に記載の方法。
【請求項２２】
前記多価金属が、Ｃａ、Ｍｇ、Ｆｅ、Ａｌまたはそれらの組み合わせを含む、請求項２１に記載の方法。
【請求項２３】
前記バイオマス原料が、さらに多価金属を含む、請求項９に記載の方法。
【請求項２４】
前記多価金属が、Ｃａ、Ｍｇ、Ｆｅ、Ａｌまたはそれらの組み合わせを含む、請求項２３に記載の方法。
【請求項２５】
前記藻類含有原料が、さらに多価金属を含む、請求項１６に記載の方法。
【請求項２６】
前記多価金属が、Ｃａ、Ｍｇ、Ｆｅ、Ａｌまたはそれらの組み合わせを含む、請求項２５に記載の方法。
【請求項２７】
前記バイオマス原料が、藻類、微細藻類またはシアノバクテリアを含む、請求項１１に記載の方法。
【請求項２８】
前記固体部分のリン：炭素のモル比が、少なくとも約０．２である、請求項１１に記載の方法。
【請求項２９】
前記固体部分が、前記バイオマス原料の少なくとも約９０％のリン含量を含み、そのリン：炭素のモル比が少なくとも約０．２５である、請求項１１に記載の方法。
【手続補正２】
【補正対象書類名】明細書
【補正対象項目名】００９７
【補正方法】変更
【補正の内容】
【００９７】
溶媒処理については、溶媒は、ＣＨＣｌ３とＣＨ３ＯＨとの容積基準で５０：５０混合物であった。一部の凍結乾燥ナンノクロロプシス（Ｎａｎｎｏｃｈｌｏｒｏｐｓｉｓ）藻類を５部のＣＨＣｌ３／ＣＨ３ＯＨ溶媒と組み合わせ、室温（すなわち、約２０〜２５℃）で約２４時間激しく攪拌した。２つの別個の相が明らかであり、第１相は、溶媒と可溶化生成物とを含有し、第２相は、溶媒中に懸濁されたおよび／または溶媒の底部に沈降した固体残部を含有した。固体残部を単離し、分析した；これらのキャラクタリゼーションの結果を以下の表１に示す。
【手続補正３】
【補正対象書類名】明細書
【補正対象項目名】００９９
【補正方法】変更
【補正の内容】
【００９９】
表１は、溶媒抽出を用いるおよび３つの水熱処理温度での藻類試料の処理の例を示す。この表において、用語「リン収率」は、固体生成物中に含有されている初期試料からのリンの重量パーセントを意味する。リン濃度は、固体生成物中のリンの重量パーセントを意味する。Ｐ／Ｃモル比は、固体生成物中のリン対炭素のモル比を意味する。リン回収効率は、固体生成物中のリンおよび炭素の相対量の尺度である。リン回収効率は、Ｐ回収効率＝Ｐ収率×［Ｐモル／（Ｐモル＋Ｃモル）］と定義される。
【手続補正４】
【補正対象書類名】明細書
【補正対象項目名】０１００
【補正方法】変更
【補正の内容】
【０１００】
表１において、列Ａは、溶媒抽出からの生成物固形分の分析による結果を示す。列Ｂ、Ｃ、およびＤは、それぞれ、約２００℃、約３００℃、および約３５０℃での水熱処理からの固体画分の分析による結果を示す。